Podtech/llm-jp-corpus-v4-ja_patent huggingface dataset:
【手続補正書】
【提出日】平成30年8月1日(2018.8.1)
【手続補正１】
【補正対象書類名】特許請求の範囲
【補正対象項目名】全文
【補正方法】変更
【補正の内容】
【特許請求の範囲】
【請求項１】
複数個積層して設けられたトレイから順次トレイを搬送するトレイ搬送装置であって、
ワークの収容部が設けられた表面と、積層により他のトレイの表面に当接して変位が規制される裏当接部が設けられた裏面とを有するトレイが、その裏面を向けて載置されるステージと、
前記収容部にワークが収容された前記トレイが前記ステージに供給される供給位置と、前記トレイからワークが搬出される搬出位置と、前記トレイが前記ステージから回収される回収位置との間で、前記ステージを移動させる移動機構と、
前記ステージ上に設けられ、前記トレイの前記裏当接部に当接することにより、前記ステージに対する前記トレイの移動を規制する規制部と、
を有することを特徴とするトレイ搬送装置。
【請求項２】
前記トレイは、前記表面に、他のトレイの裏当接部に当接して積層方向に直交する方向への変位を規制する表当接部を有し、
前記規制部は、前記トレイと同形で前記ステージに固定されたダミートレイにおける表当接部であることを特徴とする請求項１記載のトレイ搬送装置。
【請求項３】
前記ダミートレイは、前記ステージに固定具により取り付けられていることを特徴とする請求項２記載のトレイ搬送装置。
【請求項４】
前記裏当接部は、垂直方向に対して傾斜した傾斜面を有し、
前記規制部は、前記傾斜面に当接する位置に設けられていることを特徴とする請求項１〜３のいずれか１項に記載のトレイ搬送装置。
【請求項５】
前記規制部は、前記ステージに載置される前記トレイの収容部を囲む領域に設けられていることを特徴とする請求項１〜４のいずれか１項に記載のトレイ搬送装置。
【請求項６】
前記収容部にワークを収容したトレイを、前記供給位置に来た前記ステージに供給する供給部と、
前記搬出位置に来た前記トレイの収容部から、ワークを搬出する搬出部と、
前記搬出部により前記収容部からワークが搬出され、前記回収位置に来た前記トレイを回収する回収部と、
を有することを特徴とする請求項１〜５のいずれか１項に記載のトレイ搬送装置。
【請求項７】
前記ステージに供給されるトレイ又は前記ステージから回収されたトレイを積層する載置領域を有し、
前記載置領域に、前記トレイと同形のダミートレイが固定されていることを特徴とする請求項１〜６のいずれか１項に記載のトレイ搬送装置。
【請求項８】
請求項１〜７のいずれか１項に記載のトレイ搬送装置を有し、
前記搬出位置において、前記トレイの収容部から搬出されたワークを、実装対象物に実装する実装部を有することを特徴とする実装装置。
【請求項９】
請求項１〜７のいずれか１項に記載のトレイ搬送装置を有し、
前記搬出位置において、前記トレイの収容部から搬出されたワークに、部品を実装する実装部を有することを特徴とする実装装置。
【手続補正２】
【補正対象書類名】明細書
【補正対象項目名】００２５
【補正方法】変更
【補正の内容】
【００２５】
トレイ２００は、図３及び図４に示すように、収容部２０１、表当接部２０２、裏当接部２０３を有する。収容部２０１は、トレイ２００の表面に設けられた電子部品９を収容する部分である。表当接部２０２及び裏当接部２０３は、それぞれトレイ２００の表面と裏面に設けられている。裏当接部２０３は、積層したトレイ２００の表面に当接して変位が規制される。表当接部２０２は、積層されたトレイ２００の裏当接部２０３に当接して、積層方向に直交する方向への変位を規制する。つまり、複数のトレイ２００が積層されると、表当接部２０２及び裏当接部２０３は、互いに当接して積層方向に直交する方向への変位を規制する。
【手続補正３】
【補正対象書類名】明細書
【補正対象項目名】００６６
【補正方法】変更
【補正の内容】
【００６６】
［効果］
本実施形態は、電子部品９の収容部２０１が設けられた表面と、積層により前記表面に当接して変位が規制される裏当接部２０３が設けられた裏面とを有するトレイ２００が、その裏面を向けて載置されるステージ１１０と、収容部２０１に電子部品９が収容されたトレイ２００がステージ１１０に供給される供給位置αと、トレイ２００から電子部品９が搬出される搬出位置βと、トレイ２００がステージ１１０から回収される回収位置γとの間で、ステージ１１０を移動させる移動機構１１１とを有する。
【手続補正４】
【補正対象書類名】明細書
【補正対象項目名】００８５
【補正方法】変更
【補正の内容】
【００８５】
また、トレイ２００は、樹脂などで形成された薄板状の部材を成形して成るものに限らない。例えば、図１４に示すように、トレイ２００を、外周部に額縁状の肉厚部を有し、この肉厚部の内側を肉厚部よりも薄肉の収容部２０１とし、肉厚部の上面を表当接部２０２とし、肉厚部の下面を裏当接部２０３とする。そして、表当接部２０２には、所定の配置間隔で円柱状の突起部２０２ｃを設け、裏当接部２０３には、突起部２０２ｃと同じ配置で、突起部２０２ｃが嵌り込む平面視で円形の窪み部２０３ｃを設ける。この場合、裏当接部２０３の窪み部２０３ｃに、他のトレイ２００の表当接部２０２の突起部２０２ｃが嵌り込むことで、積み重ねられたトレイ２００の水平方向の位置が規制される。つまり、突起部２０２ｃ、窪み部２０３ｃは、上述の実施形態で説明したトレイ２００の傾斜面２０２ａ、２０３ａと同様の機能を果たす。なお、突起部２０２ｃの形状は、円柱状に限らず、多角柱状、円錐状、多角錘状など、他の形状でも良く、対応して形成される窪み部に嵌り込むことでトレイ２００の水平方向の位置を規制可能な形状であればよい。
【手続補正書】
【提出日】平成30年9月14日(2018.9.14)
【手続補正１】
【補正対象書類名】特許請求の範囲
【補正対象項目名】全文
【補正方法】変更
【補正の内容】
【特許請求の範囲】
【請求項１】
Ｃｕ合金芯材と、前記Ｃｕ合金芯材の表面に形成されたＰｄ被覆層とを有する半導体装置用ボンディングワイヤにおいて、
前記ボンディングワイヤがＧｅを含み、ワイヤ全体に対するＧｅの濃度が合計で０．０１１〜１．５質量％であることを特徴とする半導体装置用ボンディングワイヤ。
【請求項２】
前記Ｐｄ被覆層の厚さが０．０１５〜０．１５０μｍであることを特徴とする請求項１に記載の半導体装置用ボンディングワイヤ。
【請求項３】
前記Ｐｄ被覆層上にさらにＡｕとＰｄを含む合金表皮層を有することを特徴とする請求項１又は請求項２に記載の半導体装置用ボンディングワイヤ。
【請求項４】
前記ＡｕとＰｄを含む合金表皮層の厚さが０．０００５〜０．０５０μｍであることを特徴とする請求項３に記載の半導体装置用ボンディングワイヤ。
【請求項５】
前記ボンディングワイヤがさらにＮｉ、Ｉｒ、Ｐｔから選ばれる１種以上の元素を含み、ワイヤ全体に対する前記元素の濃度がそれぞれ０．０１１〜１．２質量％であることを特徴とする請求項１〜請求項４のいずれか１項に記載の半導体装置用ボンディングワイヤ。
【請求項６】
前記Ｃｕ合金芯材がＰｄを含み、前記Ｃｕ合金芯材に含まれるＰｄの濃度が０．０５〜１．２質量％であることを特徴とする請求項１〜請求項５のいずれか１項に記載の半導体装置用ボンディングワイヤ。
【請求項７】
前記ボンディングワイヤがさらにＢ、Ｐ、Ｍｇから選ばれる少なくとも１種以上の元素を含み、ワイヤ全体に対する前記元素の濃度がそれぞれ１〜１００質量ｐｐｍであることを特徴とする請求項１〜請求項６のいずれか１項に記載の半導体装置用ボンディングワイヤ。
【請求項８】
前記ボンディングワイヤ表面の結晶方位を測定したときの測定結果において、前記ボンディングワイヤ長手方向の結晶方位のうち長手方向に対して角度差が１５度以下である結晶方位＜１１１＞の存在比率が面積率で、３０〜１００％であることを特徴とする請求項１〜請求項７のいずれか１項に記載の半導体装置用ボンディングワイヤ。
【請求項９】
前記ボンディングワイヤの最表面にＣｕが存在することを特徴とする請求項１〜請求項８のいずれか１項に記載の半導体装置用ボンディングワイヤ。
【手続補正書】
【提出日】平成30年5月28日(2018.5.28)
【手続補正１】
【補正対象書類名】特許請求の範囲
【補正対象項目名】全文
【補正方法】変更
【補正の内容】
【特許請求の範囲】
【請求項１】
遊技の進行を制御する主制御部、および、該主制御部からの送信コマンドに基づいて演出を実行制御する副制御部を備えた遊技機であって、
前記主制御部は、
遊技の進行が中断して待機状態に移行すると、客待ちコマンドを前記副制御部に送信するコマンド送信手段を備え、
前記副制御部は、
予め設定された開始条件が成立すると、前記主制御部における遊技の進行中であるか否かに拘わらず、所定時間に亘って特殊演出を実行する特殊演出実行手段と、
前記特殊演出が実行されていないときに前記客待ちコマンドを受信すると、予め設定された演出待機時間の経過後にデモ演出を実行するデモ演出実行手段と、
を備え、
前記特殊演出実行手段は、
前記特殊演出の実行中に前記客待ちコマンドを受信しても、前記特殊演出を継続することを特徴とする遊技機。
【請求項２】
遊技者の操作を受け付ける演出操作部をさらに備え、
前記副制御部は、
前記客待ちコマンドの受信後に、前記演出操作部の操作を有効とする操作有効期間に設定するとともに、該操作有効期間中に該演出操作部の操作を受け付けると、遊技者が選択可能な客待ち中処理を実行する客待ち中処理実行手段を備え、
前記客待ち中処理実行手段は、
前記特殊演出中であるか否かに拘わらず、前記客待ちコマンドの受信後に前記操作有効期間に設定することを特徴とする請求項１に記載の遊技機。
【手続補正２】
【補正対象書類名】明細書
【補正対象項目名】０００７
【補正方法】変更
【補正の内容】
【０００７】
上記課題を解決するために、本発明の遊技機は、遊技の進行を制御する主制御部、および、該主制御部からの送信コマンドに基づいて演出を実行制御する副制御部を備えた遊技機であって、前記主制御部は、遊技の進行が中断して待機状態に移行すると、客待ちコマンドを前記副制御部に送信するコマンド送信手段を備え、前記副制御部は、予め設定された開始条件が成立すると、前記主制御部における遊技の進行中であるか否かに拘わらず、所定時間に亘って特殊演出を実行する特殊演出実行手段と、前記特殊演出が実行されていないときに前記客待ちコマンドを受信すると、予め設定された演出待機時間の経過後にデモ演出を実行するデモ演出実行手段と、を備え、前記特殊演出実行手段は、前記特殊演出の実行中に前記客待ちコマンドを受信しても、前記特殊演出を継続することを特徴とする。
【手続補正３】
【補正対象書類名】明細書
【補正対象項目名】０００８
【補正方法】変更
【補正の内容】
【０００８】
また、遊技者の操作を受け付ける演出操作部をさらに備え、前記副制御部は、前記客待ちコマンドの受信後に、前記演出操作部の操作を有効とする操作有効期間に設定するとともに、該操作有効期間中に該演出操作部の操作を受け付けると、遊技者が選択可能な客待ち中処理を実行する客待ち中処理実行手段を備え、前記客待ち中処理実行手段は、前記特殊演出中であるか否かに拘わらず、前記客待ちコマンドの受信後に前記操作有効期間に設定するとよい。
【手続補正書】
【提出日】平成30年9月21日(2018.9.21)
【手続補正１】
【補正対象書類名】特許請求の範囲
【補正対象項目名】全文
【補正方法】変更
【補正の内容】
【特許請求の範囲】
【請求項１】
画像を表示可能な画像表示手段と、
前記画像表示手段に表示される画像を制御可能な制御手段と、
を備え、
前記制御手段は、
第１画像と第２画像とが一体的に表示された第１表示態様と、前記第１画像と前記第２画像とが異なる位置に表示された第２表示態様とを前記画像表示手段に表示する制御を実行可能であり、かつ、該第１表示態様が表示された後に、該第２表示態様が表示される特定表示制御を実行可能である遊技機。
【請求項２】
前記第１表示態様が表示された後に、前記第１画像と前記第２画像とが一体的に移動し、前記第１画像が第１位置で表示され、その後、前記第２画像は該第１位置と異なる第２位置まで移動可能である請求項１に記載の遊技機。
【請求項３】
遊技者の操作を検出可能な操作検出手段を備え、
前記第１画像と前記第２画像とが一体的に移動している所定の期間において前記操作検出手段により操作が検出されたときに、前記第１画像を前記第１位置で表示可能である請求項２に記載の遊技機。
【手続補正２】
【補正対象書類名】明細書
【補正対象項目名】０００７
【補正方法】変更
【補正の内容】
【０００７】
本発明に係る遊技機は、上記目的達成のため、画像を表示可能な画像表示手段（液晶表示装置１１）と、前記画像表示手段に表示される画像を制御可能な制御手段（サブＣＰＵ１０２及びレンダリングプロセッサ１０５）と、を備え、前記制御手段は、第１画像と第２画像とが一体的に表示された第１表示態様（例えば、図１２２参照）と、前記第１画像と前記第２画像とが異なる位置に表示された第２表示態様（例えば、図１２４参照）とを前記画像表示手段に表示する制御を実行可能であり、かつ、該第１表示態様が表示された後に、該第２表示態様が表示される特定表示制御を実行可能である構成を有している。この構成により、本発明に係る遊技機は、第１画像と第２画像とを一体的に表示させる第１表示態様で表示させた後に、第１画像と第２画像とを異なる位置に表示させる第２表示態様で表示させるため、表示制御にかかる処理負荷を低減することができる。
【手続補正３】
【補正対象書類名】明細書
【補正対象項目名】０００８
【補正方法】変更
【補正の内容】
【０００８】
なお、本発明に係る遊技機において、前記第１表示態様が表示された後に、前記第１画像と前記第２画像とが一体的に移動し、前記第１画像が第１位置で表示され、その後、前記第２画像は該第１位置と異なる第２位置まで移動可能であってもよい。また、本発明に係る遊技機は、遊技者の操作を検出可能な操作検出手段（ストップスイッチ１７Ｓ）を備え、前記第１画像と前記第２画像とが一体的に移動している所定の期間において前記操作検出手段により操作が検出されたときに、前記第１画像を前記第１位置で表示可能であってもよい。
【手続補正書】
【提出日】平成30年8月18日(2018.8.18)
【手続補正１】
【補正対象書類名】明細書
【補正対象項目名】００１４
【補正方法】変更
【補正の内容】
【００１４】
次に、支柱４について説明する。
図６に示すように、伸縮手段４１を昇降ハンドル４２で操作することにより、平行リンクを用いたリンク機構からなる支柱４が作用してベースフレーム２に対して下部フレーム５を昇降するように構成している。
詳述すると、一定間隔をおいて略平行に配設された支柱パイプ４ａ，４ａ，・・・の両端に支柱支持ボス４ｂ，４ｂ，・・・を固着し、一方の該支柱支持ボス４ｂを前記ツナギパイプ３ｂ，３ｂに穿設した孔３１ｂ，３１ｂ・・・に回動可能に軸着し、他方の該支柱支持ボス４ｂを後述する下部フレーム５の支柱支持フレーム５１の支持フレームパイプ５１ａ，５１ａに穿設した孔５１１ａ，５１１ａ，・・・に回動可能に軸着している。
そして、一方の前記支柱パイプ４ａの略中間位置にツナギパイプ４ｄを配設し、前記支柱パイプ４ａ，４ａに固着している。
そして、前記ツナギパイプ４ｄの略中間位置に略コ字状のクドウシジプレート４ｃを固着している。
そして、該クドウシジプレート４ｃと後述する下部フレーム５の伸縮手段トリツケプレート５１ｄ，５１ｄの間に伸縮手段４１を取付けている。
該伸縮手段４１は、本実施例では図示は省略するが、螺子軸とナット部材を用いて昇降ハンドル４２を回動操作することによって、ナット部材に沿って螺子軸を移動させることで、支柱４が作用してベースフレーム２に対して下部フレーム５が昇降するように構成している。
なお、本実施例では螺子軸とナット部材を用いたが、上述した伸縮手段とは異なり、モーター等の駆動力あるいは油圧シリンダ等を用いてもよく、支柱４が昇降可能なものであれば本実施例に限定するものではない。
【手続補正書】
【提出日】平成30年8月16日(2018.8.16)
【手続補正１】
【補正対象書類名】特許請求の範囲
【補正対象項目名】全文
【補正方法】変更
【補正の内容】
【特許請求の範囲】
【請求項１】
前面に遊技球が流下可能な遊技領域を形成された遊技盤と、前記遊技領域へ遊技球を打ち込むための発射手段と、前記発射手段へ供給される遊技球を貯留可能な上皿部と、前記上皿部と排出口を介して連通しており、前記上皿部内の遊技球を排出可能な下皿部と、前記遊技領域を流下し、前記遊技盤の後側へ排出された遊技球を前記上皿部へ返却する循環部とを備えた遊技機であって、
前記排出口を覆うように塞止手段が設置されており、前記塞止手段によって前記排出口に到達した遊技球を塞き止めることにより、前記排出口を介しての遊技球の前記下皿部への排出を防止可能としたことを特徴とする遊技機。
【請求項２】
前記塞止手段が、前記排出口の周縁に固定される固定部材と、前記固定部材に対してスライド可能に取り付けられるスライド部材とを備えているとともに、
前記固定部材が、遊技球が通過可能な通過口を有している一方、
前記スライド部材が、前記通過口を覆って遊技球の前記通過口の通過を阻止する閉塞位置と、前記通過口を開放して遊技球の前記通過口の通過を許容する開放位置との間をスライドすることを特徴とする請求項１に記載の遊技機。
【手続補正２】
【補正対象書類名】明細書
【補正対象項目名】０００６
【補正方法】変更
【補正の内容】
【０００６】
上記目的を達成するために、本発明のうち請求項１に記載の発明は、前面に遊技球が流下可能な遊技領域を形成された遊技盤と、前記遊技領域へ遊技球を打ち込むための発射手段と、前記発射手段へ供給される遊技球を貯留可能な上皿部と、前記上皿部と排出口を介して連通しており、前記上皿部内の遊技球を排出可能な下皿部と、前記遊技領域を流下し、前記遊技盤の後側へ排出された遊技球を前記上皿部へ返却する循環部とを備えた遊技機であって、前記排出口を覆うように塞止手段が設置されており、前記塞止手段によって前記排出口に到達した遊技球を塞き止めることにより、前記排出口を介しての遊技球の前記下皿部への排出を防止可能としたことを特徴とする。
請求項２に記載の発明は、請求項１に記載の発明において、前記塞止手段が、前記排出口の周縁に固定される固定部材と、前記固定部材に対してスライド可能に取り付けられるスライド部材とを備えているとともに、前記固定部材が、遊技球が通過可能な通過口を有している一方、前記スライド部材が、前記通過口を覆って遊技球の前記通過口の通過を阻止する閉塞位置と、前記通過口を開放して遊技球の前記通過口の通過を許容する開放位置との間をスライドすることを特徴とする。
なお、請求項２に記載の発明において、前記塞止手段が、前記スライド部材の前記閉塞位置からのスライドを規制する規制機構を備えているという第１の構成を採用することも考えられる。
そして、そのような第１の構成を採用することにより、遊技者に遊技球を触れさせたくないような場合に容易に対応することができるという効果を奏することができる。
また、請求項２に記載の発明において、前記スライド部材が、前記固定部材の前面に所定方向へスライド可能に取り付けられているとともに、前記固定部材に、前記スライド部材側へ突出する舌片が設けられている一方、前記スライド部材の一方の表面に、規制突起が突設されており、前記規制突起を前側若しくは後側の何れか一方へ向けた姿勢で前記スライド部材が前記固定部材に取り付けられていると、前記閉塞位置から前記開放位置側へのスライド時に前記規制突起と前記舌片とが干渉し、前記スライド部材の前記閉塞位置からのスライドが規制される一方、前記規制突起を他方へ向けた姿勢で前記スライド部材が前記固定部材に取り付けられていると、前記閉塞位置から前記開放位置側へのスライド時に前記規制突起と前記舌片とが干渉せず、前記スライド部材が前記閉塞位置から前記開放位置へスライドするという第２の構成を採用することも考えられる。
そして、そのような第２の構成を採用することにより、上記第１の構成を採用したものと同様、遊技者に遊技球を触れさせたくないような場合に容易に対応することができるという効果を奏することができる。また、規制突起を他方へ向けた姿勢でスライド部材を固定部材に取り付けると、閉塞位置から開放位置側へのスライド時に規制突起と舌片とが干渉せず、スライド部材を閉塞位置から開放位置へスライドさせることができるため、スライド部材の固定部材に対する取付姿勢を変更するだけで、スライド部材のスライド操作に応じて遊技球を下皿部内へ排出可能とするか否かを選択することができ、使い勝手が極めて良いという効果も奏することができる。
【手続補正３】
【補正対象書類名】明細書
【補正対象項目名】０００７
【補正方法】変更
【補正の内容】
【０００７】
本発明によれば、排出口を覆うように塞止手段が設置されており、塞止手段によって排出口に到達した遊技球を塞き止めることにより、排出口を介しての遊技球の下皿部への排出を防止可能としている。したがって、下皿部内への不用意な遊技球の排出を防止することができ、循環に必要な遊技球が足りなくなる等の不具合が生じない。
また、請求項２に記載の発明によれば、塞止手段が、排出口の周縁に固定される固定部材と、固定部材に対してスライド可能に取り付けられるスライド部材とを備えているとともに、固定部材に、遊技球が通過可能な通過口が設けられている一方、スライド部材が、通過口を覆って遊技球の通過を阻止する閉塞位置と、通過口を開放して遊技球の通過を許容する開放位置との間をスライドするようにしている。したがって、既設の遊技機に対して塞止手段を容易に後付けすることができる上、必要に応じてスライド部材を閉塞位置から開放位置へスライドさせることにより、通過口を介して塞き止められていた遊技球を下皿部内へ排出することができ、非常に使い勝手が良い。
【誤訳訂正書】
【提出日】平成30年7月20日(2018.7.20)
【誤訳訂正１】
【訂正対象書類名】特許請求の範囲
【訂正対象項目名】全文
【訂正方法】変更
【訂正の内容】
【特許請求の範囲】
【請求項１】
システムにおいて、
血液の液体除去デバイスであって、
（ｉ）患者から血液を受け取るための注入口、
（ｉｉ）患者からの血液を戻すための第一の排出口、
（ｉｉｉ）前記注入口及び前記第一の排出口の間に位置する、前記血液から液体及び汚染物質を除去するための媒体、
（ｉｖ）液体除去速度制御装置、及び
（ｖ）前記除去された液体及び汚染物質を流すための第二の排出口を備える、血液の液体除去デバイスと、
患者の組織液の量のインジケータをモニタリングするための第一のセンサーと、
患者の血液の液体の量のインジケータをモニタリングするための第二のセンサーとを備え、
前記血液の液体除去デバイスは、制御電子機器を有し、
前記制御電子機器は、前記第一のセンサー、前記第二のセンサー、及び前記液体除去速度制御装置と作動可能に通信するようになっており、
前記制御電子機器は、前記第一のセンサー及び前記第二のセンサーから得られたデータに基づき補液が加えられる速度を調整するように構成されている、システム。
【請求項２】
前記制御電子機器が前記補液が加えられる速度を調整しているあいだ、前記システムの作動は本質的に連続している、請求項１に記載のシステム。
【請求項３】
前記組織液の量のインジケータが、組織のインピーダンス、電解質の濃度、圧力または流れのうちの一つである、請求項１に記載のシステム。
【請求項４】
前記血液の液体の量のインジケータが、ヘマトクリットレベル又は前記ヘマトクリットレベルのインジケータに対応する、請求項１に記載のシステム。
【請求項５】
前記ヘマトクリットレベルのインジケータが、酸素化ヘモグロビン濃度を備える、請求項４に記載のシステム。
【請求項６】
前記第一のセンサー及び前記第二のセンサーのうちの少なくとも１つが、インプラント型センサーである、請求項１に記載のシステム。
【請求項７】
前記補液は、前記液体が血液から除去される前に、血液に加えられる、請求項１に記載のシステム。
【請求項８】
前記補液は、前記液体が血液から除去された後に、血液に加えられる、請求項１に記載のシステム。
【請求項９】
前記組織液の量のインジケータの前記血液の液体の量のインジケータに対する比を獲得し、
前記組織液の量のインジケータの前記血液の液体の量のインジケータに対する前記比が、所定の範囲外にあるか決定し、
前記組織液の量のインジケータの前記血液の液体の量のインジケータに対する前記比が前記所定の範囲外にある場合、前記補液が血液に加えられる速度を変更する、請求項１に記載のシステム。
【請求項１０】
血液の液体の量の組織液の量に対する比を比較し、前記比が所定の許容される範囲外にあるかどうかの決定を行う（５２０）、請求項１に記載のシステム。
【請求項１１】
血液から除去された液体量を監視するための第三のセンサー（２２０）であって、一以上のセンサー(２００、２１０、２２０)または検出構成要素が血液中の液体除去デバイス（１００）又はシステムの制御要素（１５０）と通じている、請求項１に記載のシステム。
【誤訳訂正２】
【訂正対象書類名】明細書
【訂正対象項目名】００６７
【訂正方法】変更
【訂正の内容】
【００６７】
図１７を参照すると、血液中の液体除去デバイス１００の選択された構成要素の概略ブロック図を示す。図示の実施形態において、デバイスは、患者から血液を受け取るための注入口１１０と、注入口１１０と連通し、血液から液体及び汚染物質を除去するための媒体１３０を介して血液が流れる速度を制御するように構成された血流制御要素１２０を有する。デバイスはまた、患者へ血液を戻すための、媒体１３０と連通する排出口１４０を含む。図示した実施形態において、媒体１３０は、血液透析又は血液透析濾過フィルターなどの半透膜１３５を含む。膜は、媒体１３０の透析流区画から血流区画を分離する。デバイス１００は、新鮮な透析液を受け取るための注入口１６０を有する。注入口１６０は、媒体１３０の透析流区画へ透析液を導入する速度を制御するための、透析流制御要素１７０と連通する。デバイスはまた、使用した透析液及び血液から除去された液体をデバイスから迂回するための、媒体１３０と連通している排出口１８０を有する。図示した実施形態において、デバイスはまた、必要又は所望により、媒体構成要素１３０の透析液区画と連通する負圧制御要素１９０を含む。デバイス１００はまた、制御要素１５０を含み、制御要素１５０はプロセッサ等を含むことができ、またこのプロセッサ等は血流制御要素１２０、透析流制御要素１７０、及び負圧制御要素１９０に作動可能に連結され、これらを制御するように構成されている。
【手続補正書】
【提出日】平成30年6月1日(2018.6.1)
【手続補正１】
【補正対象書類名】明細書
【補正対象項目名】０００４
【補正方法】変更
【補正の内容】
【０００４】
このような抽選ゲームでは、ユーザーが所持する有料アイテムの消費により、複数種類ある抽選ゲームをそれぞれプレイできるようにする場合がある。かかる場合に、各種類の抽選ゲームで蓄積される蓄積数をそれぞれ管理することは、ユーザーにとって煩雑となる。
【手続補正２】
【補正対象書類名】明細書
【補正対象項目名】０００５
【補正方法】削除
【補正の内容】
【手続補正３】
【補正対象書類名】明細書
【補正対象項目名】０００６
【補正方法】変更
【補正の内容】
【０００６】
本発明は、このような事情に鑑みてなされたものであり、その目的とするところは、ユーザーが所持する有料アイテムの消費により、複数種類ある抽選ゲームをそれぞれプレイできるようにする場合に、各種類の抽選ゲームで共通して蓄積される蓄積数を管理することにある。
【手続補正４】
【補正対象書類名】明細書
【補正対象項目名】０００７
【補正方法】変更
【補正の内容】
【０００７】
上記課題を解決するための本発明の主たる発明は、
ユーザーが所持する有料アイテムの消費により、複数のキャラクターによって構成されるキャラクター群の中から抽選されたキャラクターを当該ユーザーに付与する抽選ゲームを実行する情報処理装置であって、
複数種類ある前記抽選ゲームそれぞれに対応付けて、異なるキャラクター群を記憶する抽選ゲーム情報記憶部と、
ユーザーに対応付けて、各種類の前記抽選ゲームで共通して蓄積される蓄積数を記憶するユーザー情報記憶部と、
いずれかの種類の前記抽選ゲームをプレイしたユーザーの蓄積数が所定数に到達したことを条件として、当該ユーザーの蓄積数が所定数に到達した際の当該抽選ゲームに対応付けられたキャラクター群に含まれる高いレアリティを有するキャラクターの中から選択したキャラクターを、当該ユーザーに付与する付与部と、
を備えたことを特徴とする情報処理装置である。
【手続補正５】
【補正対象書類名】明細書
【補正対象項目名】０００８
【補正方法】変更
【補正の内容】
【０００８】
また、前記付与部は、前記ユーザーに付与する前記キャラクターを抽選により選択する、ことを特徴とする請求項１に記載の情報処理装置である。
【手続補正６】
【補正対象書類名】明細書
【補正対象項目名】０００９
【補正方法】変更
【補正の内容】
【０００９】
また、前記付与部は、前記ユーザーにより選択されたキャラクターを付与する、ことを特徴とする請求項１に記載の情報処理装置である。
【手続補正７】
【補正対象書類名】明細書
【補正対象項目名】００１０
【補正方法】変更
【補正の内容】
【００１０】
また、ユーザーが所持する有料アイテムの消費により、複数のキャラクターによって構成されるキャラクター群の中から抽選されたキャラクターを当該ユーザーに付与する抽選ゲームを実行するコンピューターを、
複数種類ある前記抽選ゲームそれぞれに対応付けて、異なるキャラクター群を記憶する抽選ゲーム情報記憶手段、
ユーザーに対応付けて、各種類の前記抽選ゲームで共通して蓄積される蓄積数を記憶するユーザー情報記憶手段、
いずれかの種類の前記抽選ゲームをプレイしたユーザーの蓄積数が所定数に到達したことを条件として、当該ユーザーの蓄積数が所定数に到達した際の当該抽選ゲームに対応付けられたキャラクター群に含まれる高いレアリティを有するキャラクターの中から選択したキャラクターを、当該ユーザーに付与する付与手段、
として機能させるためのプログラムである。
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正書】
【提出日】平成30年6月12日(2018.6.12)
【手続補正１】
【補正対象書類名】特許請求の範囲
【補正対象項目名】全文
【補正方法】変更
【補正の内容】
【特許請求の範囲】
【請求項１】
打球面と、前記打球面の反対側の面である裏面とを有するフェースを備えるアイアンゴルフクラブヘッドにおいて、
前記フェースの前記裏面は、前記アイアンゴルフクラブヘッドのトウ側からヒール側に向かう方向の略中央部分に位置する厚肉部と、前記厚肉部の周囲に位置する薄肉部と、前記厚肉部と前記薄肉部との間に位置しているテーパ部と、アンダーカットが設けられ、かつ前記裏面の外周を取り囲んでキャビティを規定する縁部とを有しており、
前記厚肉部は、前記アイアンゴルフクラブヘッドの前記ヒール側から前記トウ側に向かう方向における幅である第１の幅と、前記アイアンゴルフクラブヘッドのソールからトップに向かう方向における幅であり、かつ前記第１の幅よりも広い第２の幅とを有し、かつ第１の厚さを有しており、
前記薄肉部は、前記第１の厚さよりも薄い第２の厚さを有しており、
前記テーパ部の厚さは、前記厚肉部側から前記薄肉部側に向かって薄くなっており、
前記厚肉部の少なくとも一部は、前記アンダーカット内に位置する、アイアンゴルフクラブヘッド。
【請求項２】
前記アイアンゴルフクラブヘッドは、前記ソール側においてソール部を有しており、
前記厚肉部は、前記アンダーカット内に位置する前記ソール部の上面から延びている、請求項１に記載のアイアンゴルフクラブヘッド。
【請求項３】
前記厚肉部は、フィレット部を介して前記ソール部に接続されている、請求項２に記載のアイアンゴルフクラブヘッド。
【請求項４】
前記テーパ部は、前記厚肉部の周囲の全周にわたって設けられている、請求項２に記載のアイアンゴルフクラブヘッド。
【請求項５】
前記第１の厚さと前記第２の厚さの差は、０．２５ｍｍ以上１．２５ｍｍ以下である、請求項２に記載のアイアンゴルフクラブヘッド。
【請求項６】
前記テーパ部は第３の幅を有しており、
前記第３の幅は、２ｍｍ以上２０ｍｍ以下である、請求項２に記載のアイアンゴルフクラブヘッド。
【請求項７】
前記テーパ部は第３の幅を有しており、
前記第１の幅に前記第３の幅の２倍を加えた値を、前記ソールから前記テーパ部の頂部までの長さで除した値が、０．５以下である、請求項２に記載のアイアンゴルフクラブヘッド。
【請求項８】
請求項１〜７のいずれかに記載の前記アイアンゴルフクラブヘッドを備えるアイアンゴルフクラブ。
【手続補正書】
【提出日】平成30年4月10日(2018.4.10)
【手続補正１】
【補正対象書類名】明細書
【補正対象項目名】００４５
【補正方法】変更
【補正の内容】
【００４５】
モールド１３への液体の充填は、ノズル（スリットノズル）またはブレードを用いて行うが、この際、液体を充填後方に漏らさないために、ノズルまたはブレードと、モールドとを密着させる必要がある。モールドの膜厚、及び、液体充填時にモールドを載せる土台部分は、微小な荒さがあるため、モールド表面は、１０〜２０μｍの高さバラツキ・荒さが生じている。一方、ノズルまたはブレードについても１０〜２０μｍの荒さを持つため、モールドとノズルまたはブレードと密着させるためには、ノズルまたはブレードを少なくとも４０μｍ程度はモールドに押し込んで変形させる必要がある。これによって、各荒さを吸収して液体を漏らさずに充填を行うことができる。
【手続補正２】
【補正対象書類名】明細書
【補正対象項目名】００５０
【補正方法】変更
【補正の内容】
【００５０】
このような材料として、具体的には、シリコーン樹脂などを用いることができる。シリコーン樹脂は繰り返し加圧による転写に耐久性があり、且つ、素材との剥離性が良いため、好適に用いることができる。また、経皮吸収シートなどの製造されるシートが医薬品の場合、安全性を維持することができる。また、気体透過性の高い素材を用いることで、経皮吸収材料を充填する際、モールドの凹部に存在する空気をモールド側から追い出すことができるので、針状凸部を精度良く製造することができる。気体透過性の高い素材としては、気体透過性の代表である酸素透過性は、１×１０−１２（ｍＬ／ｓ・ｍ２・Ｐａ）より大きいことが好ましく、１×１０−１０（ｍＬ／ｓ・ｍ２・Ｐａ）より大きいことがさらに好ましい。
【手続補正３】
【補正対象書類名】明細書
【補正対象項目名】００５３
【補正方法】変更
【補正の内容】
【００５３】
厚み方向のヤング率が異なるモールド１３の作製方法として、原版１１に流し込む樹脂を変更することにより行うことができる。ヤング率が高い樹脂（モールド１３の表面側となる樹脂）を流し込んだ後に、硬化および乾燥を行い、ヤング率の低い樹脂（モールド１３の裏面側となる樹脂）を流し込んで硬化および乾燥を行うことで、ヤング率の異なるモールドを製造してもよい。また、ヤング率の低い樹脂を流し込んだ後に、ヤング率の高い樹脂を流し込み、両方の樹脂を同時に硬化および乾燥することで、モールドを製造することもできる。
【手続補正４】
【補正対象書類名】明細書
【補正対象項目名】００９９
【補正方法】変更
【補正の内容】
【００９９】
モールドは、表１に示すように、ヤング率を１．５ＭＰａから５０１．６ＭＰａの範囲で変更して作製した。モールドのヤング率は、充填を行うモールドとは別途、単体のモールドを同一条件で作製し、フィッシャー・インストルメンツ社製の微小硬度計ＨＭ２０００およびベルコビッチ圧子を用いて、経皮吸収材料の充填前にモールドの針孔凹部の直横部分を圧縮試験にて、４０μｍの変位を与えたときの荷重から測定及び算出した。それぞれのモールドに対して、経皮吸収シートの製造を５回行い、それぞれ充填量を測定し、充填量のバラツキを評価した。
【手続補正書】
【提出日】平成30年7月26日(2018.7.26)
【手続補正１】
【補正対象書類名】明細書
【補正対象項目名】００４２
【補正方法】変更
【補正の内容】
【００４２】
図５に、縞走査法により第２格子１５をスリット周期方向に第２格子１５の周期の１／４ずつ移動させてモアレ縞の位相を（１／２）πずつ変化させて撮影した４枚の被写体モアレ縞画像を示す。図６に、図５の被写体モアレ縞画像の撮影時と同様の格子位置で撮影した４枚のＢＧモアレ縞画を示す。図７（ａ）に、図５に示す４枚の被写体モアレ縞画像を加算した画像を示す。図７（ｂ）に、図６に示す４枚のＢＧモアレ縞画像を加算した画像を示す。図７（ｃ）に、図７（ａ）に示す画像を図７（ｂ）に示す画像で割ることにより得られた透過率画像を示す。図７（ｄ）に、図７（ｃ）に示す透過率画像を対数変換することにより得られた吸収画像を示す。
【手続補正書】
【提出日】平成30年10月23日(2018.10.23)
【手続補正１】
【補正対象書類名】明細書
【補正対象項目名】０００２
【補正方法】変更
【補正の内容】
【０００２】
従来から、放電を利用して樹脂製のフィルムの表面を改質する表面処理装置が知られている（特許文献１参照）。
図３に示す従来の表面処理装置は、接地された処理ローラ１の外周に沿って設けた処理チャンバ２とからなる。そして、上記処理ローラ１には処理対象となるフィルムＦを接触させ、処理ローラ１の回転にともなってフィルムＦが移動するようにしている。
また、上記処理チャンバ２は、金属製の一対の支持部３に樹脂製のカバー部４を連結して構成され、上記カバー部４の開口に処理ローラ１を臨ませている。このようなカバー部４を設けているのは、処理チャンバ２内で生成されるオゾンなどのガスを処理チャンバ２の外部に流出させないようにするためである。
【手続補正書】
【提出日】平成30年11月5日(2018.11.5)
【手続補正１】
【補正対象書類名】明細書
【補正対象項目名】００７２
【補正方法】変更
【補正の内容】
【００７２】
図６（ａ）（ｂ）（ｃ）に示す分岐部２８、２９を使用して温泉スケール付着抑制装置を構成するときは、別途、温泉水配管１と配管経路１Ａ、１Ｂとを、分岐部２８、２９とは別の継手を用いてまたは配管同士を接続するその他の公知の手段により、接続する必要がある（図１から図５、図８（ａ）、図９、図１２参照）。
【手続補正２】
【補正対象書類名】明細書
【補正対象項目名】００７３
【補正方法】変更
【補正の内容】
【００７３】
（２）図７に示す分岐部
配管経路１Ａ、１Ｂを温泉水配管１ではなく、分岐部２８、２９に接続しても、温泉スケール付着抑制装置を構成することができる。図７は、その場合の分岐部２８、２９の側面図である。つまり、分岐部２８、２９は、別途用意した継手を用いてまたは配管同士を接続するその他の公知の手段により、図６（ｂ）に示す直管部２８ｂ、２９ｂに、当該直管部２８ｂ、２９ｂとは別の部材として配管経路の一部１ａ、１ｂが接続位置Ｃ0において接続しているもの（図７（ａ）参照）や、図６（ｃ）に示す直管部２８ｂ、２９ｂに、当該直管部２８ｂ、２９ｂとは別の部材として配管経路１Ａ、１Ｂが接続位置Ｃ0において接続しているもの（図７（ｂ）参照）であってよく、図６（ｂ）に示す直管部２８ｂ、２９ｂに、配管経路の一部１ａ、１ｂが接続位置Ｃ0において連続し、一体として構成されているもの（図７（ｃ）参照）や、図６（ｃ）に示す直管部２８ｂ、２９ｂに、配管経路の一部１ａ、１ｂが接続位置Ｃ0*において連続し、一体として構成されているもの（図７（ｄ）参照）であってもよい。
【手続補正３】
【補正対象書類名】明細書
【補正対象項目名】０１４４
【補正方法】変更
【補正の内容】
【０１４４】
１．２）  当該設置方法の第２例は、図７（ｃ）に示す分岐部２８、２９を使用する場合であり、次の工程を有する。
[工程１]既設の温泉水配管における温泉水の流通を停止させ、引き続く設置工事に備える。
[工程２]既設の温泉水配管の離隔した二箇所において、当該温泉水配管からある程度の長さを切除する。
[工程３]前記二箇所の間の温泉水配管１の両端に相当する接続位置Ｃ[1-28]*、Ｃ[1-29]*において、直管部２８ｂ、２９ｂの一端を取り付ける。
[工程４]直管部２８ｂ、２９ｂの他端に、曲管部２８ａ、２９ａの一端を取り付ける。
[工程５]順序は問わないが、次の接続を行う。
（a）接続位置Ｃ0*において配管経路１Ａ、１Ｂの一端を温泉水配管１に取り付ける。
（b）接続位置Ｃ[2-28]*、Ｃ[3-29]*においてピグ投入・回収用配管２、３を分岐部２８、２９の他端に取り付ける。
（c）工程２と同時にまたは工程２の前もしくは後に、工程１における切除により作り出された、温泉水配管１の両端と対面する残りの温泉水配管の端部に、配管経路１Ａ、１Ｂの他端を接続する。
【手続補正４】
【補正対象書類名】明細書
【補正対象項目名】０１４５
【補正方法】変更
【補正の内容】
【０１４５】
１．３）  当該設置方法の第２例は、図７（ｄ）に示す分岐部２８、２９を使用する場合であり、次の工程を有する。
[工程１]既設の温泉水配管における温泉水の流通を停止させ、引き続く設置工事に備える。
[工程２]既設の温泉水配管の離隔した二箇所において、当該温泉水配管からある程度の長さを切除する。
[工程３]前記二箇所の間の温泉水配管１の両端に相当する接続位置Ｃ[1-28]*、Ｃ[1-29]*において、分岐部２８、２９の一端を温泉水配管１に取り付ける。
[工程４]順序は問わないが、次の接続を行う。
（a）接続位置Ｃ0*において配管経路１Ａ、１Ｂの一端を温泉水配管１に取り付ける。
（b）接続位置Ｃ[2-28]*、Ｃ[3-29]*においてピグ投入・回収用配管２、３を分岐部２８、２９の他端に取り付ける。
（c）工程２と同時にまたは工程２の前もしくは後に、工程１における切除により作り出された、温泉水配管１の両端と対面する残りの温泉水配管の端部に、配管経路１Ａ、１Ｂの他端を接続する。
【手続補正５】
【補正対象書類名】明細書
【補正対象項目名】０１４６
【補正方法】変更
【補正の内容】
【０１４６】
なお、分岐部２８、２９と温泉水配管１との接続、分岐部２８、２９とピグ投入・回収用配管との接続、温泉水配管１と配管経路１Ａ、１Ｂとの接続などは、フランジ継手、管継手などの公知の接続手段を使用して行なえば足りる。
【手続補正６】
【補正対象書類名】図面
【補正対象項目名】図１
【補正方法】変更
【補正の内容】
【図１】
2017176972.tif 000001
【手続補正書】
【提出日】平成30年2月22日(2018.2.22)
【手続補正１】
【補正対象書類名】特許請求の範囲
【補正対象項目名】全文
【補正方法】変更
【補正の内容】
【特許請求の範囲】
【請求項１】
外槽と、前記外槽内に回転自在に配置され洗濯物を収容する洗濯兼脱水槽と、前記洗濯兼脱水槽内に給水する給水手段と、前記洗濯兼脱水槽を駆動する駆動手段と、前記外槽を支持し外装を構成する筐体と、前記洗濯兼脱水槽に乾燥用の空気を送風するための、前記洗濯兼脱水槽に向けて開口する出口と、前記外槽に向けて開口する入口と、を有する送風通路と、前記送風通路の途中に設けられた空気を加熱する空気加熱手段と、前記送風通路の途中に設けられた送風ファンと、を備え、
前記給水手段、前記空気加熱手段及び前記送風ファンを制御する制御手段を備えた洗濯乾燥機において、
前記制御手段は、前記空気過熱手段と前記送風ファンを用いて乾燥工程を実行し、
前記制御手段は、乾いた衣類を加温する熱風処理工程を前記空気過熱手段と前記送風ファンを用いて実行し、前記熱風処理工程の後に、前記給水手段により洗濯物に水を給水することで、洗濯物のダニを洗い流すことを特徴とする洗濯乾燥機。
【請求項２】
請求項１に記載の洗濯乾燥機において、
前記筐体内の温度を検出する温度検出手段を備え、
前記制御手段は、前記温度検出手段の温度検出結果に応じて、前記空気加熱手段と前記送風ファンを制御することを特徴とする洗濯乾燥機。
【請求項３】
請求項１または２に記載の洗濯乾燥機において、
前記空気加熱手段をヒータで構成し、このヒータは強モードと弱モードを有し、
前記空気加熱手段は、前記熱風処理工程において前記ヒータを前記強モードで運転することを特徴とする洗濯乾燥機。
【請求項４】
請求項１または２に記載の洗濯乾燥機において、
前記制御手段は、前記熱風処理工程において、洗濯物内の最も低い温度が５０℃以上で最低で２０分維持するよう、前記熱風処理工程を実行することを特徴とする洗濯乾燥機。
【請求項５】
請求項２に記載の洗濯乾燥機において、
前記制御手段は、前記温度検出手段が所定の閾値よりも高いと検出した場合、前記空気加熱手段をオフまたは加熱機能を弱めることを特徴とする洗濯乾燥機。
【請求項６】
請求項２に記載の洗濯乾燥機において、
前記制御手段は、前記温度検出手段が所定の閾値よりも高いと検出した場合、前記空気加熱手段をオフし、
前記制御手段は、前記空気加熱手段をオフしてから所定時間経過した場合、前記熱風処理工程を終了することを特徴とする洗濯乾燥機。
【請求項７】
請求項１〜６いずれか１項に記載の洗濯乾燥機において、
前記制御手段は、前記熱風処理工程において、前記洗濯兼脱水槽を前記乾燥工程における回転速度よりも高い回転速度で回転するよう、前記駆動手段を制御することを特徴とする洗濯乾燥機。
【手続補正２】
【補正対象書類名】明細書
【補正対象項目名】００１３
【補正方法】変更
【補正の内容】
【００１３】
このような課題を解決するために、本発明の洗濯乾燥機は、一例として、外槽と、前記外槽内に回転自在に配置され洗濯物を収容する洗濯兼脱水槽と、前記洗濯兼脱水槽内に給水する給水手段と、前記洗濯兼脱水槽を駆動する駆動手段と、前記外槽を支持し外装を構成する筐体と、前記洗濯兼脱水槽に乾燥用の空気を送風するための、前記洗濯兼脱水槽に向けて開口する出口と、前記外槽に向けて開口する入口と、を有する送風通路と、前記送風通路の途中に設けられた空気を加熱する空気加熱手段と、前記送風通路の途中に設けられた送風ファンと、を備え、前記給水手段、前記空気加熱手段及び前記送風ファンを制御する制御手段を備えた洗濯乾燥機において、前記制御手段は、前記空気過熱手段と前記送風ファンを用いて乾燥工程を実行し、前記制御手段は、乾いた衣類を加温する熱風処理工程を前記空気過熱手段と前記送風ファンを用いて実行し、前記熱風処理工程の後に、前記給水手段により洗濯物に水を給水することで、洗濯物のダニを洗い流す。
【手続補正書】
【提出日】平成30年7月16日(2018.7.16)
【手続補正１】
【補正対象書類名】特許請求の範囲
【補正対象項目名】全文
【補正方法】変更
【補正の内容】
【特許請求の範囲】
【請求項１】
ａ）試験体保持位置を画定するプラットホームと、
ｂ）前記試験体保持位置に最も近い最終電極を含む一組の電極を有する静電レンズと
を備え、
ｃ）前記最終電極が、光を伝送する少なくとも１本の通路を画定し、前記通路は前記電極の底面に実質的に平行であり、前記光は前記通路内を前記電極の前記底面に平行に導かれ、
ｄ）前記通路は、前記試験体を照明する光源からの光を前記試験体に導くように、または、前記試験体が発する光を検出するために検出器に導くように、構成される
荷電粒子ビーム・カラム・アセンブリ。
【請求項２】
前記通路が、光検出器を収容する末端を含む、請求項１に記載の荷電粒子ビーム・カラム・アセンブリ。
【請求項３】
前記通路が第１の光通路を含み、前記最終電極が、前記第１の光通路に加えて第２の光通路を画定する、請求項１または２に記載の荷電粒子ビーム・カラム・アセンブリ。
【請求項４】
前記第１の光通路が前記光源で終わり、前記第２の光通路が光検出器で終わる、請求項３に記載の荷電粒子ビーム・カラム・アセンブリ。
【請求項５】
前記最終電極が金属製であり、前記通路が、前記金属中の管状の中空空間を含む、請求項１から４のいずれか一項に記載の荷電粒子ビーム・カラム・アセンブリ。
【請求項６】
前記金属がチタン合金を含む、請求項５に記載の荷電粒子ビーム・カラム・アセンブリ。
【請求項７】
前記中空空間の内表面が、反射を増大させるために研磨されている、請求項５または６に記載の荷電粒子ビーム・カラム・アセンブリ。
【請求項８】
前記通路を貫いて延びている光導体をさらに含む、請求項１から７のいずれか一項に記載の荷電粒子ビーム・カラム・アセンブリ。
【請求項９】
前記通路が、ガス通路と、ガス源に接続された末端とを含む、請求項１から８のいずれか一項に記載の荷電粒子ビーム・カラム・アセンブリ。
【請求項１０】
前記通路が第１のガス通路であり、前記最終電極が、前記第１のガス通路に加えて第２のガス通路を画定する、請求項９に記載の荷電粒子ビーム・カラム・アセンブリ。
【請求項１１】
前記第１のガス通路がガス源で終わり、前記第２のガス通路がガス検出器で終わる、請求項１０に記載の荷電粒子ビーム・カラム・アセンブリ。
【請求項１２】
前記第１のガス通路が第１のガス源で終わり、前記第２のガス通路が第２のガス源で終わる、請求項１０に記載の荷電粒子ビーム・カラム・アセンブリ。
【請求項１３】
前記通路がガス通路と光通路の両方と、ガス源と光源の両方と連通する末端とを含む、請求項１から１２のいずれか一項に記載の荷電粒子ビーム・カラム・アセンブリ。
【請求項１４】
前記最終電極が試験体表面から２ｍｍ以内に配置される、請求項１から１３のいずれか一項に記載の荷電粒子ビーム・カラム・アセンブリ。
【請求項１５】
前記通路が、前記荷電粒子ビームに対して横断方向に向けられている、請求項１から１４のいずれか一項に記載の荷電粒子ビーム・カラム・アセンブリ。
【請求項１６】
前記通路は、前記光が前記通路を通り抜ける際に、前記光が複数回反射されるように構成される、請求項１から１５のいずれか一項に記載の荷電粒子ビーム・カラム・アセンブリ。
【請求項１７】
前記最終電極が平板電極である、請求項１から１６のいずれか一項に記載の荷電粒子ビーム・カラム・アセンブリ。
【請求項１８】
ａ）試験体保持位置を画定するプラットホームと、
ｂ）前記試験体保持位置に最も近い最終電極を含む一組の電極を含む静電レンズと
を備え、
ｃ）前記最終電極が、光を伝送する少なくとも１本の通路を画定し、前記通路は前記光が前記通路を通り抜ける際に、前記光が複数回反射されるように構成され、
ｄ）前記通路は、前記試験体を照明する光源からの光を前記試験体に導くように、または、前記試験体が発する光を検出するために検出器に導くように、構成される
荷電粒子ビーム・カラム・アセンブリ。
【請求項１９】
最終電極を含む一組の電極を含む静電レンズを有する荷電粒子ビーム・システム内の所定の試験体位置に向けて光を導くか、または、荷電粒子ビーム・システム内の所定の試験体位置からの光を導く方法であって、
ａ）前記最終電極の内部通路を介する所定の試験体位置への光通路、または前記最終電極の内部通路を介する所定の試験体位置からの光通路を備えることであって、前記内部通路は前記電極の底面に実質的に平行であり、前記光は前記内部通路内を前記最終電極の前記底面に平行に導かれることと、
ｂ）前記光通路中へ光を発射することと、
を備え、
ｃ）前記光通路は、前記試験体を照明する光源からの光を前記試験体に導くように、または、前記試験体が発する光を検出するために検出器に導くように、構成される、
方法。
【請求項２０】
前記所定の試験体位置への追加の光通路をさらに備え、前記光通路中へ光を発射することが、前記光通路に沿って前記試験体に向けて光を導くことを含み、前記追加の光通路を通して前記試験体からの光を受け取ることをさらに含む、請求項１９に記載の方法。
【請求項２１】
前記内部通路が研磨された表面を有し、前記光が前記試験体に出入りする際に前記研磨された表面から前記光が反射される、請求項１９または２０に記載の方法。
【請求項２２】
前記最終電極が、チタン合金を含む、請求項１９から２１のいずれか一項に記載の方法。
【請求項２３】
少なくとも１本の追加の光通路を備え、前記少なくとも１本の追加の光通路中へ光を発射することをさらに含む、請求項１９、２１、２２のいずれか一項に記載の方法。
【請求項２４】
前記内部通路を通して前記所定の試験体位置にガスを導くことをさらに含む、請求項１９から２３のいずれか一項に記載の方法。
【請求項２５】
前記内部通路が第１のガス通路を含み、前記ガスが第１のガスであり、第２のガス通路を通して第２のガスを前記所定の試験体位置に送ることをさらに含む、請求項２４に記載の方法。
【手続補正書】
【提出日】平成30年6月8日(2018.6.8)
【手続補正１】
【補正対象書類名】明細書
【補正対象項目名】発明の名称
【補正方法】変更
【補正の内容】
【発明の名称】半導体装置
【手続補正２】
【補正対象書類名】特許請求の範囲
【補正対象項目名】全文
【補正方法】変更
【補正の内容】
【特許請求の範囲】
【請求項１】
第１の酸化物半導体膜と、
前記第１の酸化物半導体膜上の第２の酸化物半導体膜と、
前記第２の酸化物半導体膜と接する領域を有するソース電極と、
前記第２の酸化物半導体膜と接する領域を有するドレイン電極と、
前記第２の酸化物半導体膜上、前記ソース電極上および前記ドレイン電極上の金属酸化物膜と、
前記金属酸化物膜上のゲート絶縁膜と、
前記ゲート絶縁膜上のゲート電極と、を有し、
前記金属酸化物膜は、Ｍ（Ｍは、Ｔｉ、Ｇａ、Ｙ、Ｚｒ、Ｌａ、Ｃｅ、ＮｄまたはＨｆ）とＺｎを含み、
前記金属酸化物膜は、ＭとＺｎの原子数比をＭ：Ｚｎ＝ｘ：ｙとしたとき、ｘ／（ｘ＋ｙ）は、０．６７より大きく０．９９以下であることを特徴とする半導体装置。
【請求項２】
第１の酸化物半導体膜と、
前記第１の酸化物半導体膜上の第２の酸化物半導体膜と、
前記第２の酸化物半導体膜と接する領域を有するソース電極と、
前記第２の酸化物半導体膜と接する領域を有するドレイン電極と、
前記第２の酸化物半導体膜上、前記ソース電極上および前記ドレイン電極上の金属酸化物膜と、
前記金属酸化物膜上のゲート絶縁膜と、
前記ゲート絶縁膜上に接し、前記第２の酸化物半導体膜の上面および側面に面するゲート電極と、を有し、
前記金属酸化物膜は、Ｍ（Ｍは、Ｔｉ、Ｇａ、Ｙ、Ｚｒ、Ｌａ、Ｃｅ、ＮｄまたはＨｆ）とＺｎを含み、
前記金属酸化物膜は、ＭとＺｎの原子数比をＭ：Ｚｎ＝ｘ：ｙとしたとき、ｘ／（ｘ＋ｙ）は、０．６７より大きく０．９９以下であることを特徴とする半導体装置。
【請求項３】
請求項１または請求項２において、
前記Ｍは、Ｇａであることを特徴とする半導体装置。
【請求項４】
請求項１乃至請求項３のいずれか一において、
前記第２の酸化物半導体膜は、複数の結晶部を有し、
前記複数の結晶部は、ｃ軸配向性を有することを特徴とする半導体装置。
【請求項５】
請求項１乃至請求項４のいずれか一において、
チャネル長が５ｎｍ以上２００ｎｍ以下であることを特徴とする半導体装置。
【請求項６】
請求項１乃至請求項５のいずれか一において、
前記第２の酸化物半導体膜の電子親和力は、前記第１の酸化物半導体膜の電子親和力よりも大きいことを特徴とする半導体装置。